(57)【要約】【課題】  ネットワークに接続した移動通信装置の配下の移動端末が、当該ネットワークを介して他のネットワークで位置登録を行うことができる手段を提供する。【解決手段】  移動通信システム１は、移動端末１０と、セルラーネットワーク２４および移動端末１０と通信が可能なセルラー端末１２と、セルラーネットワーク２４の無線基地局１４と、セルラー端末１２の位置情報を管理しているロケーションレジスタ１６と、セルラーネットワーク２４とＩＰネットワーク２６のゲートウェイとなるゲートウェイ装置１８と、ＩＰネットワーク２６に存在し、移動端末１０の位置管理を行うホームエージェント２０と、移動端末１０と通信を行うＩＰネットワーク２６と接続された通信端末２２とを含んで構成される。これにより移動端末１０はセルラーネットワーク２４を介してＩＰネットワーク２６において位置登録をする。【選択図】  図１
2006332995.tif 000002
【特許請求の範囲】
【請求項１】
第１のネットワークに接続可能な移動通信装置を介して通信を行う移動端末と、
前記第１のネットワークとゲートウェイを介して接続可能であり、前記移動端末の位置情報を記憶するホームエージェントが設置された第２のネットワークと、
の間の移動通信方法であって、
前記移動端末が、前記移動通信装置から当該移動端末のネットワーク上の位置情報を取得するステップと、
前記移動端末が、前記取得した位置情報を前記移動通信装置に送信するステップと、
前記移動通信装置が、前記移動端末から送信された位置情報を前記ゲートウェイに送信するステップと、
前記ゲートウェイが、前記移動通信装置から送信された位置情報を前記ホームエージェントに送信するステップと、
前記ホームエージェントが、前記移動端末と前記ゲートウェイから送信された位置情報との対応関係を記憶するステップと、
を含む移動通信方法。
【請求項２】
前記第２のネットワークに接続した通信端末が、パケットを前記ホームエージェントへ送信するステップと、
前記ホームエージェントが、前記パケットを受信するステップと、
前記ホームエージェントが、前記記憶した移動端末と位置情報との対応関係から前記移動端末の位置情報を抽出するステップと、
前記ホームエージェントが、前記抽出した位置情報に基づいて前記パケットを前記ゲートウェイに送信するステップと、
前記ゲートウェイが、前記ホームエージェントから送信されたパケットを前記位置情報に基づいて前記移動通信装置を介して前記移動端末に送信するステップと、
をさらに含む請求項１に記載の移動通信方法。
【請求項３】
前記移動端末が前記位置情報を取得するステップにおいて、前記移動端末は前記移動通信装置が在圏する無線基地局に関する情報である無線基地局情報を併せて取得し、
前記移動端末が前記位置情報を前記移動通信装置に送信するステップにおいて、前記移動端末は前記取得した無線基地局情報を併せて前記移動通信装置に送信し、
前記移動通信装置が前記位置情報を前記ゲートウェイに送信するステップにおいて、前記移動通信装置は前記移動端末から送信された無線基地局情報を併せて前記ゲートウェイに送信し、
前記ゲートウェイが前記位置情報を前記ホームエージェントに送信するステップにおいて、前記ゲートウェイは前記移動通信装置から送信された無線基地局情報を併せて前記ホームエージェントに送信し、
前記ホームエージェントが前記移動端末と前記位置情報との対応関係を記憶するステップにおいて、前記ホームエージェントは前記移動端末と前記位置情報と前記ゲートウェイから送信された無線基地局情報との対応関係を記憶する、
請求項１に記載の移動通信方法。
【請求項４】
前記第２のネットワークに接続した通信端末が、パケットを前記移動端末へ送信するステップと、
前記ホームエージェントが、前記パケットを受信するステップと、
前記ホームエージェントが、前記記憶した移動端末と位置情報と無線基地局情報との対応関係から前記移動端末の位置情報と無線基地局情報とを抽出するステップと、
前記ホームエージェントが、前記抽出した位置情報と無線基地局情報とに基づいて前記パケットを前記ゲートウェイに送信するステップと、
前記ゲートウェイが、前記ホームエージェントから送信されたパケットを前記位置情報と前記無線基地局情報とに基づいて、前記移動通信装置が在圏する無線基地局と前記移動通信装置とを介して前記移動端末に送信するステップと、
をさらに含む請求項３に記載の移動通信方法。
【請求項５】
ネットワークに接続可能な移動通信装置を介して通信する移動端末であって、
前記移動通信装置から、前記移動端末のネットワーク上の位置情報を取得する情報取得手段と、
前記移動通信装置から取得した位置情報を前記移動通信装置へ送信する情報送信手段と、
を備えた移動端末。
【請求項６】
前記情報取得手段は、前記移動通信装置から、前記移動通信装置が在圏する無線基地局に関する情報である無線基地局情報を併せて取得し、
前記情報送信手段は、前記移動通信装置から取得した無線基地局情報を併せて前記移動通信装置へ送信する、
請求項５に記載の移動端末。
【請求項７】
移動端末と第１のネットワークとの間の通信を中継する移動通信装置であって、
前記移動端末のネットワーク上の位置情報を当該移動端末に通知する情報通知手段と、
前記移動端末から前記位置情報を受信したときに、前記位置情報を前記第１のネットワークと第２のネットワークとを接続するゲートウェイに送信する情報転送手段と、
を備えた移動通信装置。
【請求項８】
前記情報通知手段は、在圏する無線基地局に関する情報である無線基地局情報を併せて前記移動端末に通知し、
前記情報転送手段は、前記移動端末から前記位置情報と前記無線基地局情報とを受信したときに、前記位置情報と前記無線基地局情報とを前記ゲートウェイに送信する、
請求項７に記載の移動通信装置。
【請求項９】
前記第２のネットワークから前記移動端末へのパケットの着信通知を受信したときに、前記移動端末との経路を確立する経路確立手段と、
前記ゲートウェイに、前記移動端末との経路が確立したことを通知する経路確立通知手段と、
を備えた請求項７または８に記載の移動通信装置。
【請求項１０】
移動端末が中継に用いて通信を行う移動通信装置が接続可能な第１のネットワークと、
前記移動端末のネットワーク上の位置情報を記憶するホームエージェントを設置された第２のネットワークと、
を接続するゲートウェイであって、
前記ホームエージェントから送信されるパケットを前記位置情報に基づいて前記移動通信装置を介して前記移動端末に送信する着信制御手段を備えたゲートウェイ。
【請求項１１】
前記着信制御手段は、前記位置情報と前記移動通信装置が在圏する無線基地局に関する情報である無線基地局情報とに基づいて、前記ホームエージェントから送信されるパケットを、前記移動通信装置が在圏する無線基地局と前記移動通信装置とを介して前記移動端末に送信する、
請求項１０に記載のゲートウェイ。
【請求項１２】
移動端末が中継に用いて通信を行う移動通信装置が接続可能な第１のネットワークとゲートウェイを介して接続可能な第２のネットワークに設置されたホームエージェントであって、
前記移動端末と、前記移動端末から送信された当該移動端末のネットワーク上の位置情報と、前記移動端末から送信された前記移動通信装置が在圏する無線基地局に関する情報である無線基地局情報との対応関係を記憶する対応情報格納手段と、
前記第２のネットワークに接続した通信端末からのパケットを受信する受信手段と、
前記移動端末と前記位置情報と前記無線基地局情報との対応関係から、前記移動端末の位置情報と無線基地局情報とを抽出する抽出手段と、
前記抽出した位置情報と無線基地局情報とに基づいて前記パケットを前記ゲートウェイに送信する送信手段と、
を備えたホームエージェント。
【発明の詳細な説明】
【技術分野】
【０００１】
本発明は、移動体通信を実行する移動通信方法、移動端末、移動通信装置、ゲートウェイおよびホームエージェントに関するものである。
【背景技術】
【０００２】
ユビキタスネットワーク社会において、あらゆる端末がネットワークに参加し、通信を行うことが想定される。端末は移動できることを前提としていて、小型で無線通信が可能なものが考えられる。このような端末としては、例えば、ＰＤＡ(Personal Digital Assistance)や各種センサや無線タグがついている電子機器などが考えられる。これらの移動端末同士が、基地局やアクセスポイント等の設備を必要としないマルチホップ通信の形態で互いに通信を行うための技術として、無線アドホックネットワークの技術がある（非特許文献１参照）。しかし、この無線アドホックネットワークの技術だけでは移動端末は近距離の端末としか通信できず、通信の範囲が限定されてしまうため、これらの無線アドホックネットワークを構成している移動端末にグローバルなＩＰネットワーク（Internet Protocol Network）への接続性を提供するための技術も提案されている（非特許文献２および３参照）。
【０００３】
この技術は、モバイルＩＰ（MobileInternet Protocol）技術とアドホックネットワーク技術の統合を行ったものである。この技術では、移動端末からコアネットワークであるＩＰネットワークにある通信端末に発信することと、ＩＰネットワークにある通信端末から移動端末に着信をかけることが可能である。このような移動端末とＩＰネットワークにある通信端末との通信は、固有アドレスをもつ移動端末がＩＰネットワークとのゲートウェイとなるノードまたは端末を検索し、そのノードからグローバルアドレスを付与してもらい、そのグローバルアドレスつまり現在の位置情報をホームエージェントに登録し、管理することで可能となる。この一連の動作を位置登録と呼ぶ。
【０００４】
このような位置登録を行った移動端末が発信を行う場合は、このグローバルアドレスをそのまま利用して通信を行うことが可能である。着信を行う場合は、相手の通信端末からのパケットが移動端末の固有アドレスに送信される。この場合、当該移動端末の位置情報を管理するホームエージェントにデータが送られ、ホームエージェントは移動端末のグローバルアドレスにヘッダの書き換え、またはカプセル化を行い、当該移動端末にデータを転送する。移動端末およびゲートウェイ端末は移動するため、移動端末はアドレスを付与してもらったゲートウェイ端末と通信が不可能になったときや、より最適なゲートウェイ端末を発見したときに、移動端末は再度位置登録を行う。
【非特許文献１】チェァーズ・ヨセフ・マッカー(Chairs: Joseph Macker)、スコット・コルソン、「モバイル  アドホック  ネットワーク（マネット）」(Mobile Ad-hoc Networks (manet))、[online]、ＩＥＴＦ  ワーキング  グループ(IETF working group)、［平成１７年２月７日検索］、インターネット〈URL：http://www.ietf.org/html.charters/manet-charter.html〉
【非特許文献２】ユー・ジョンソン、外(U. Johnson et al.,)、「エムアイピィーマネット−モバイルアドホックネットワークのためのモバイルアイピィー」(MIPMANET-mobile IP for mobile ad hoc networks)、ＩＥＥＥ  モビホック(IEEE MobiHOC)  ２０００年、p 76-85
【非特許文献３】アール・ワキカワ、外(R. Wakikawa et al.,)、「ＩＰｖ６モバイルアドホックネットワークのためのグローバル接続性（ドラフト−ワキカワ−マネット−グローバル、ブイ６−０３ティーエックスティー）」(Global Connectivity for IPv6 Mobile AdHoc Networks(draft-wakikawa-manet-globalv6-02.txt))、[online]、２００２年１１月、ＩＥＴＦ、［平成１７年２月７日検索］、インターネット〈URL：http://www.ietf.org/ietf/1id-abstracts.txt〉
【発明の開示】
【発明が解決しようとする課題】
【０００５】
しかし、上述した非特許文献２および３に記載の位置管理方法では、以下に示すような問題点があった。すなわち、上記従来の位置管理方法においては、ＩＰネットワークにある通信端末と、無線アドホックネットワークにある移動端末とが、ゲートウェイを介して直接接続している環境では、位置登録や通信を行うことは可能である。しかし、ＩＰネットワークで管理されていた移動端末が、移動してセルラーネットワークにあるセルラー端末の配下になった場合（セルラー端末を介して通信を行う場合）には、ＩＰネットワークにおいて位置登録を行うことはできない。
【０００６】
本発明は、かかる事情に鑑みてなされたものであり、その目的は、ネットワークに接続した移動通信装置の配下である移動端末が、当該ネットワークを介して他のネットワークにおいて位置登録を行うことができる移動通信方法、移動端末、移動通信装置、ゲートウェイおよびホームエージェントを提供することにある。
【課題を解決するための手段】
【０００７】
本発明は、第１のネットワークに接続可能な移動通信装置を介して通信を行う移動端末と、第１のネットワークとゲートウェイを介して接続可能であり、移動端末の位置情報を記憶するホームエージェントが設置された第２のネットワークとの間の移動通信方法であって、移動端末が、移動通信装置から当該移動端末のネットワーク上の位置情報を取得するステップと、移動端末が、取得した位置情報を移動通信装置に送信するステップと、移動通信装置が、移動端末から送信された位置情報をゲートウェイに送信するステップと、ゲートウェイが、移動通信装置から送信された位置情報をホームエージェントに送信するステップと、ホームエージェントが、移動端末とゲートウェイから送信された位置情報との対応関係を記憶するステップと、を含むことを特徴とする。
【０００８】
上記構成によれば、移動端末が移動通信装置から当該移動端末の位置情報を取得し、移動端末が取得した位置情報を移動通信装置、ゲートウェイを介してホームエージェントに送信し、ホームエージェントが、移動端末と位置情報との対応関係を記憶するから、第１のネットワークに接続した移動通信装置の配下である移動端末が、第１のネットワークを介して第２のネットワークにおいて位置登録をすることができる。
【０００９】
この場合、第２のネットワークに接続した通信端末が、パケットをホームエージェントへ送信するステップと、ホームエージェントが、パケットを受信するステップと、ホームエージェントが、記憶した移動端末と位置情報との対応関係から移動端末の位置情報を抽出するステップと、ホームエージェントが、抽出した位置情報に基づいてパケットをゲートウェイに送信するステップと、ゲートウェイが、ホームエージェントから送信されたパケットを位置情報に基づいて移動通信装置を介して移動端末に送信するステップと、をさらに含むことが好適である。
【００１０】
この構成によれば、第２のネットワークに接続した通信端末が送信したパケットを、ホームエージェントが受信して、記憶した移動端末と位置情報との対応関係から移動端末の位置情報を抽出し、抽出した位置情報に基づいてパケットをゲートウェイに送信するから、第１のネットワークと第２のネットワークとを接続するゲートウェイにパケットを送信することができる。また、ゲートウェイが、ホームエージェントから送信されたパケットを位置情報に基づいて移動通信装置を介して移動端末に送信するから、第２のネットワークに接続した通信端末が送信したパケットを、第１のネットワークに接続された移動通信装置の配下の移動端末に送信することができる。
【００１１】
この場合、移動端末が位置情報を取得するステップにおいて、移動端末は移動通信装置が在圏する無線基地局に関する情報である無線基地局情報を併せて取得し、移動端末が位置情報を移動通信装置に送信するステップにおいて、移動端末は取得した無線基地局情報を併せて移動通信装置に送信し、移動通信装置が位置情報をゲートウェイに送信するステップにおいて、移動通信装置は移動端末から送信された無線基地局情報を併せてゲートウェイに送信し、ゲートウェイが位置情報をホームエージェントに送信するステップにおいて、ゲートウェイは移動通信装置から送信された無線基地局情報を併せてホームエージェントに送信し、ホームエージェントが移動端末と位置情報との対応関係を記憶するステップにおいて、ホームエージェントは移動端末と位置情報とゲートウェイから送信された無線基地局情報との対応関係を記憶することが好適である。
【００１２】
この構成によれば、移動端末は無線基地局情報を併せて取得し、無線基地局情報が移動通信装置、ゲートウェイを介してホームエージェントに送信され、ゲートウェイは移動端末と位置情報と無線基地局情報との対応関係を記憶するから、無線基地局情報を他から取得する必要がなくなる。
【００１３】
この場合、第２のネットワークに接続した通信端末が、パケットを移動端末へ送信するステップと、ホームエージェントが、パケットを受信するステップと、ホームエージェントが、記憶した移動端末と位置情報と無線基地局情報との対応関係から移動端末の位置情報と無線基地局情報とを抽出するステップと、ホームエージェントが、抽出した位置情報と無線基地局情報とに基づいてパケットをゲートウェイに送信するステップと、ゲートウェイが、ホームエージェントから送信されたパケットを位置情報と無線基地局情報とに基づいて、移動通信装置が在圏する無線基地局と移動通信装置とを介して移動端末に送信するステップとをさらに含むことが好適である。
【００１４】
この構成によれば、第２のネットワークに接続した通信端末が送信したパケットを、ホームエージェントが受信して、記憶した移動端末と位置情報と無線基地局情報との対応関係から移動端末の位置情報と無線基地局情報とを抽出し、抽出した位置情報と無線基地局情報とに基づいてパケットをゲートウェイに送信するから、第１のネットワークと第２のネットワークとを接続するゲートウェイにパケットを送信することができる。また、ゲートウェイが、ホームエージェントから送信されたパケットを、位置情報と無線基地局情報とに基づいて、移動通信装置が在圏する無線基地局と移動通信装置とを介して移動端末に送信するから、無線基地局情報を他から取得しなくとも、第２のネットワークに接続した通信端末が送信したパケットを、第１のネットワークに接続された移動通信装置の配下の移動端末に送信することができる。
【００１５】
また本発明の別の態様によれば、ネットワークに接続可能な移動通信装置を介して通信を行う移動端末であって、移動通信装置から、移動端末のネットワーク上の位置情報を取得する情報取得手段と、移動通信装置から取得した位置情報を移動通信装置へ送信する情報送信手段と、を備えた移動端末が提供される。
【００１６】
この場合、情報取得手段は、移動通信装置から、移動通信装置が在圏する無線基地局に関する情報である無線基地局情報を併せて取得し、情報送信手段は、移動通信装置から取得した無線基地局情報を併せて移動通信装置へ送信することが好適である。
【００１７】
また本発明の別の態様によれば、移動端末と第１のネットワークとの間の通信を中継する移動通信装置であって、移動端末のネットワーク上の位置情報を当該移動端末に通知する情報通知手段と、移動端末から位置情報を受信したときに、位置情報を第１のネットワークと第２のネットワークとを接続するゲートウェイに送信する情報転送手段と、を備えた移動通信装置が提供される。
【００１８】
この場合、情報通知手段は、在圏する無線基地局に関する情報である無線基地局情報を併せて移動端末に通知し、情報転送手段は、移動端末から位置情報と無線基地局情報とを受信したときに、位置情報と無線基地局情報とをゲートウェイに送信することが好適である。
【００１９】
この場合、第２のネットワークから移動端末へのパケットの着信通知を受信したときに、移動端末との経路を確立する経路確立手段と、ゲートウェイに、移動端末との経路が確立したことを通知する経路確立通知手段とを備えることが好適である。
【００２０】
この構成によれば、第２のネットワークから移動端末へのパケットの着信通知を受信したときに、移動端末との経路を確立することができ、ゲートウェイに、移動端末との経路が確立したことを通知することができる。
【００２１】
また、本発明の別の態様によれば、移動端末が中継に用いて通信を行うための移動通信装置が接続可能な第１のネットワークと、移動端末のネットワーク上の位置情報を記憶するホームエージェントを設置された第２のネットワークと、を接続するゲートウェイであって、ホームエージェントから送信されるパケットを位置情報に基づいて移動通信装置を介して移動端末に送信する着信制御手段を備えたゲートウェイが提供される。
【００２２】
この場合、着信制御手段は、位置情報と移動通信装置が在圏する無線基地局に関する情報である無線基地局情報とに基づいて、ホームエージェントから送信されるパケットを、移動通信装置が在圏する無線基地局と移動通信装置とを介して移動端末に送信する、ことが好適である。
【００２３】
また、本発明の別の態様によれば、移動端末が中継に用いて通信を行うための移動通信装置が接続可能な第１のネットワークとゲートウェイを介して接続可能な第２のネットワークに設置されたホームエージェントであって、移動端末と、移動端末から送信された当該移動端末のネットワーク上の位置情報と、移動端末から送信された移動通信装置が在圏する無線基地局に関する情報である無線基地局情報との対応関係を記憶する対応情報格納手段と、第２のネットワークに接続した通信端末からのパケットを受信する受信手段と、移動端末と位置情報と無線基地局情報との対応関係から、移動端末の位置情報と無線基地局情報とを抽出する抽出手段と、抽出した位置情報と無線基地局情報とに基づいてパケットをゲートウェイに送信する送信手段とを備えたホームエージェントが提供される。
【発明の効果】
【００２４】
本発明のネットワークに接続した移動通信装置を介して通信を行う移動端末が、当該ネットワークを介して他のネットワークおいて位置登録を行うことができる。
【発明を実施するための最良の形態】
【００２５】
以下、本発明の実施形態に係る移動通信システムについて添付図面を参照して説明する。
【００２６】
まず、本発明の第１実施形態に係る移動通信システムの構成について説明する。図１は、本発明の第１実施形態に係る移動通信システムの構成を示す図である。図１に示すように、本実施形態の移動通信システム１は、移動端末１０と、セルラーネットワーク２４（第１のネットワーク）および移動端末１０と通信が可能なセルラー端末１２（移動通信装置）と、セルラーネットワーク２４の無線基地局１４と、セルラー端末１２の位置情報を管理しているロケーションレジスタ１６と、セルラーネットワーク２４とＩＰネットワーク２６（第２のネットワーク）のゲートウェイとなるゲートウェイ装置１８と、ＩＰネットワーク２６に存在し、移動端末１０の位置管理を行うホームエージェント２０と、移動端末１０と通信を行うＩＰネットワーク２６に接続した通信端末２２とを備えて構成される。図１の例では、ＩＰネットワーク２６で管理されていた移動端末１０が、図中の矢印に示すように、移動によりセルラー端末１２の配下に帰属した場合について示している。
【００２７】
まず本発明の実施形態にかかる移動端末の構成について説明する。図２は、本発明の第１実施形態に係る移動端末の構成を示す図である。図２に示すように、本実施形態の移動端末１０は、グローバルアドレス情報を取得する情報取得部２８（情報取得手段）と、取得したグローバルアドレス情報を格納する情報格納部３０と、上記セルラー端末１２への経路情報を記憶する経路格納部３２と、情報格納部３０に格納されたグローバルアドレス情報を経路格納部３０に格納された経路でセルラー端末１２に送信する情報送信部３４（情報送信手段）とを備えて構成される。以下、各構成要素について説明する。
【００２８】
情報取得部２８には、グローバルアドレス情報を取得する機能が含まれる。グローバルアドレス情報とは移動端末１０がＩＰネットワーク２６と接続し、通信を行う際のアドレスのことであり、セルラー端末１２からグローバルアドレス自体を取得方法とセルラー端末１２からアドレスプレフィックスを取得し、移動端末１０が自らグローバルアドレスを生成する方法がある。情報取得部２８が取得したグローバルアドレス情報は、情報格納部３０に格納される。また情報取得部２８は、グローバルアドレス情報を取得した際に、情報元のセルラー端末１２への経路情報を併せて取得し、経路格納部３０に格納する。
【００２９】
情報格納部３０には、情報取得部２８が取得したグローバルアドレス情報が格納される。経路格納部３２には、情報取得部２８が取得したセルラー端末１２への経路情報が格納される。なお経路情報とは、例えば当該セルラー端末１２へパケットを送信するには、どの端末にパケットを送信すればよいかを示している情報である。
【００３０】
情報送信部３４は、情報格納部３２に格納されたグローバルアドレス情報をセルラー端末１２に送信する。この際、情報送信部３４は、経路格納部３２に格納されている経路情報を用いて、セルラー端末１２に送信する。情報送信部３４がセルラー端末１２に送信する送信情報の一部には、移動端末が保持している固有のアドレスと、移動端末１０が所属していたＩＰネットワーク２６のホームエージェント２０のアドレスとが含まれる。
【００３１】
これらのグローバルアドレス情報と移動端末１０の固有アドレスとは、移動端末１０が所属していたＩＰネットワーク２６のホームエージェント２０まで送信される。これらの情報の送信方法としては、宛先をホームエージェント２０とするパケットに宛先をセルラー端末１２とするパケットでカプセル化を行う方法や、宛先をセルラー端末１２とするパケットの一部にホームエージェント２０のアドレス情報を記述して送信し、セルラー端末１２で宛先をホームエージェント２０のアドレスに書き換えるなどと言ったような方法が考えられる。
【００３２】
次に本発明の実施形態にかかるセルラー端末の構成について説明する。図３は、本発明の第１実施形態に係るセルラー端末の構成を示す図である。図３に示すように、セルラー端末１２は、グローバルアドレス情報を移動端末１０へ通知する情報通知部３６（情報通知手段）と、移動端末１０からグローバルアドレス情報を受信するとセルラーネットワーク２４とＩＰネットワーク２６のゲートウェイ装置１８と通信路を確立し、グローバルアドレス情報をゲートウェイ装置１８に送信する情報転送部３８（情報転送手段）と、無線基地局１４からの移動端末１０への着信通知を受信すると移動端末１０への経路を確立し、ゲートウェイ装置１８に対して移動端末１０への経路が確立したことを通知する経路確立部４０（経路確立手段、経路確立通知手段）とを含んで構成される。以下、各構成要素について説明する。
【００３３】
情報通知部３６は、セルラー端末１２が保持しているグローバルアドレス情報を配下の移動端末１０に通知する。グローバルアドレス情報を配下の移動端末１０に通知する方法としては、定期的に情報をブロードキャストする方法や、移動端末１０から問い合わせを受けた場合にグローバルアドレス情報を送信する方法が考えられる。
【００３４】
情報転送部３８は、セルラー端末１２からグローバルアドレス情報を受信すると、セルラーネットワーク２４とＩＰネットワーク２６のゲートウェイ装置１８との通信路を確立し、受信した情報をゲートウェイ装置１８に送信する。情報転送部３８とゲートウェイ装置１８との通信路確立方法は一般的なセルラーシステムの方法を用いる。
【００３５】
経路確立部４０は、無線基地局１４から移動端末１０への着信通知を受信し、移動端末１０への経路確立を行う。移動端末１０との経路確立後、ゲートウェイ装置１８に通知を行う。移動端末１０との経路確立は、無線アドホックネットワークで使用される一般的な技術であり、例えば、移動端末１０への経路要求パケットをフラッディングし、移動端末からの経路応答を受信し、経路応答が送信された経路を移動端末への経路とすることが考えられる。
【００３６】
本実施形態にかかるロケーションレジスタ１６は、セルラーネットワークにおける一般的なものであり、セルラー端末１２が在圏している無線基地局１４に関する情報が記憶されている。当該セルラー端末１２が移動して在圏している無線基地局１４が変わったときは、ロケーションレジスタ１６に記憶された情報は新しい情報に更新される。
【００３７】
次に本発明の実施形態にかかるゲートウェイ装置の構成について説明する。図４は、本発明の第１実施形態に係るゲートウェイ装置の構成を示す図である。図４に示すように、ゲートウェイ装置１８は、ホームエージェント２０から送信される移動端末１０のグローバルアドレス宛のパケットを受信すると当該パケットを蓄積するパケット蓄積部４２と、パケットの宛先グローバルアドレスからセルラー端末１２の識別番号を割り出すセルラー端末識別部４４と、ロケーションレジスタ１６に対して、当該セルラー端末１２が在圏している無線基地局１４を問い合わせる位置問い合わせ部４６と、当該問い合わせによって判明したセルラー端末１２が在圏している無線基地局１４に対して着信通知をする着信通知部４８と、当該セルラー端末１２から移動端末１０への経路が確立したことの通知を受信し、当該セルラー端末１２と通信路を確立し、蓄積していたパケットをセルラー端末１２経由で、移動端末１０に送信する着信制御部５０（着信制御手段）とを備えて構成される。以下、各構成要素について説明する。
【００３８】
パケット蓄積部４２は、ホームエージェント２０から送信される移動端末１０のグローバルアドレス宛のパケットを受信し、パケットを蓄積する。
【００３９】
セルラー端末識別部４４は、図５に示すように、グローバルアドレスとセルラー端末１２のＩＤとの対応関係が書き込まれたセルラー端末対応テーブル４４ａを予め保持している。移動端末１０のグローバルアドレス宛のパケットからそのグローバルアドレスはどのセルラー端末１２が割り当てたものかを検索し、セルラー端末１２のＩＤを識別することが可能である。尚、セルラー端末１２のＩＤとはセルラー端末１２の識別子であり、例えば、図５に示すようなセルラー端末１２の電話番号などが考えられる。
【００４０】
位置問い合わせ部４６は、セルラー端末１２の位置管理を行っているロケーションレジスタ１６に対して、セルラー端末１２のＩＤを送信し、現在セルラー端末１２が在圏している無線基地局１４のアドレスやＩＤ等の情報である無線基地局情報を受信する。位置問い合わせ部４６は、取得した無線基地局情報を着信通知部４８に送信する。
【００４１】
着信通知部４８は、位置問い合わせ部４６から受信した無線基地局情報に対応して、当該無線基地局１４へ、着信通知のパケットを送信する。着信通知のパケットには、セルラー端末１２のＩＤおよび移動端末１０のグローバルアドレスが含まれる。必要である場合、着信通知部４８は、移動端末１０の固有のアドレスも合わせて送信してもよい。
【００４２】
着信制御部５０は、セルラー端末１２から移動端末１０への経路が確立したことの通知を受信すると、当該セルラー端末１２と通信路を確立する。また着信制御部５０は、パケット蓄積部４２が蓄積していたパケットを、セルラー端末１２経由で移動端末１０に送信する。この通信路確立方法としては、一般的なセルラーシステムにおける着信動作と同様である。送信方法としては、移動端末１０のグローバルアドレスが固有性をもっている場合はグローバルアドレス宛に送信することが可能であるが、移動端末１０のグローバルアドレスに固有性がない場合は移動端末１０の固有のアドレスに対して送信する必要がある。この場合、パケットの送信先を、移動端末１０のグローバルアドレスから固有アドレスに返還する必要がある。この移動端末１０のグローバルアドレスから固有アドレスへの変換は、ゲートウェイ装置１８の着信制御部５０で行っても良いし、あるいはセルラー端末１２で行っても良い。
【００４３】
次に本発明の実施形態にかかるホームエージェントの構成について説明する。図６は、本発明の第１実施形態に係るホームエージェントの構成を示す図である。図６に示すように、ホームエージェント２０は、移動端末１０から送信されるグローバルアドレス情報を受信し、当該移動端末１０のグローバルアドレス情報を記憶する対応情報格納部５２（対応情報格納手段）と、通信端末１０から移動端末１０へ送信されるパケットを受信し、当該移動端末１０のグローバルアドレスおよび無線基地局１４を割り出し、パケットをグローバルアドレス宛に送信するパケット制御部５４とを備えて構成される。以下、各構成要素について説明する。
【００４４】
対応情報格納部５２は、移動端末１０から送信されるグローバルアドレス情報を受信し、この情報を、図７に示すような当該移動端末１０とグローバルアドレス情報との対応関係を記憶する移動端末対応テーブル５２ａに格納する。移動端末対応テーブル５２ａは、図７に示す通り、移動端末１０の固有アドレスとその移動端末１０に対応するグローバルアドレス情報とが書き込まれている。このような移動端末対応テーブル５２ａにより、ホームエージェント２０は、移動端末１０の固有アドレスからグローバルアドレス情報を検索することが可能である。
【００４５】
パケット制御部５４は、通信端末２２から移動端末１０へ送信されるパケットを受信する。ホームエージェント２０は、ＩＰネットワーク２６に所属していた移動端末１０の位置管理を行う。ホームエージェント２０のアドレスと移動端末の固有アドレスとは同一のネットワークアドレスである。そのため、移動端末１０の固有アドレス宛のパケットがＩＰネットワーク２６に届いた場合、パケット制御部５４は、当該パケットがホームエージェント２０宛のパケットでない場合も当該パケットを受信するように動作する。そして、パケット制御部５４は、受信したパケットの宛先である移動端末１０のグローバルアドレスを対応情報格納部５２から検索し、パケットを当該グローバルアドレス宛の移動端末１０に送信する。尚、送信するパケットには、移動端末の固有アドレスをパケットに記述する。
【００４６】
続いて、本実施形態にかかる移動通信システムの動作について説明する。図８は、本発明の第１実施形態に係る移動通信システムの位置登録の動作を示すシーケンス図である。本実施形態にかかる位置登録方法において、移動端末１０のグローバルアドレス情報を送信するにあっては、まず、移動端末１０はセルラー端末１２からグローバルアドレス情報を取得する（Ｓ１１）。
【００４７】
グローバルアドレス情報は、通信端末２２がＩＰネットワーク２６から当該グローバルアドレス情報に基づいてパケットを送信することにより、移動端末１０にパケットを届かせるというものであり、移動端末１０のネットワーク上での位置情報を表している。グローバルアドレス情報は、例えば、モバイルＩＰ技術の分野におけるＣｏＡ（Care of address）と類似するものであり、ＩＰｖ６ではグローバルアドレス情報として、アドレスプレフィックスを取得することで、そのアドレスプレフィックスから移動端末１０自身のグローバルアドレスを生成することが可能である。ＩＰｖ４ではＦＡ（Foreign Agent）が、ＦＡ自身のアドレスをグローバルアドレス情報として移動端末に通知することも考えられる。この場合はセルラー端末１２がＦＡの役割を行い、着信パケットがセルラー端末１２に届く際、セルラー端末１２は移動端末１０にパケットを転送する機能が必要となる。
【００４８】
本実施形態では、セルラー端末１２の情報通知部３６が定期的にグローバルアドレス情報をフラッディングする方法や、移動端末１０がグローバルアドレス情報要求をフラッディングし、セルラー端末１２の情報通知部３６がグローバルアドレス情報を移動端末１０に送信するといったような方法が考えられる。
【００４９】
移動端末１０が情報取得部２８からグローバルアドレス情報を取得すると、そのグローバルアドレス情報を情報格納部３０に格納する。
【００５０】
そして移動端末１０は、自身のグローバルアドレス情報をホームエージェントに登録する。ホームエージェント２０は移動端末１０が所属したＩＰネットワーク２６にあって、移動端末１０の位置管理を行っている。移動端末１０は、セルラー端末１２経由でセルラーネットワーク２４を経由して、自身のグローバルアドレス情報をホームエージェント２０に送信する必要があり、当該セルラー端末１２への経路をもっている必要がある。
【００５１】
当該セルラー端末１２への経路はグローバルアドレス情報取得時に同時に取得する方法と、新たにセルラー端末１２への経路を要求する方法が考えられる。この場合の経路取得方法は、一般的な無線アドホックネットワークの技術を使用することが可能である。移動端末１０は、取得したセルラー端末１２への経路情報を経路格納部３２に格納し、移動端末１０がグローバルアドレス情報をホームエージェント２０に送信するときに使用する。
【００５２】
この場合、移動端末１０は、移動端末１０が受信したグローバルアドレス情報から、移動端末１０がホームエージェント２０にグローバルアドレス情報を送信するかどうかを判断する動作を行うことが可能である。例えば、移動端末１０は、取得したグローバルアドレス情報が現在保持しているグローバルアドレス情報と変化がない場合はホームエージェント２０にグローバルアドレス情報を送信せず、グローバルアドレス情報が変化する場合にのみグローバルアドレス情報を送信することが考えられる。
【００５３】
移動端末１０の情報送信部３４は、取得したグローバルアドレス情報をセルラー端末１２への経路に送信する（Ｓ１２）。送信するパケットにはホームエージェント２０のアドレス情報および移動端末１０の固有アドレス情報が含まれる。これらの情報は、セルラー端末１２やゲートウェイ装置１８が、グローバルアドレス情報をホームエージェント２０に送信する際に使用される。移動端末１０の固有アドレス情報は、ホームエージェント２０でどの移動端末のグローバルアドレス情報であるかを判断するために使用される。
【００５４】
移動端末１０からセルラー端末１２への経路にグローバルアドレス情報を送信する方法として、パケットをカプセル化する方法や経由する経路を指定する方法が考えられる。カプセル化方法としては宛先がホームエージェント２０のパケットの外側にセルラー端末１２のアドレス宛のヘッダでカプセル化することが考えられる。セルラー端末１２はこのパケットを受信するとカプセル化を解除し、宛先がホームエージェント２０のパケットのみをゲートウェイ装置１８に送信することになる。経由する経路を指定する方法としてはパケットのヘッダやヘッダオプション等に経由すべきノードのアドレスを全て記述する方法を用いることができる。この場合には、パケットのヘッダやヘッダオプション等にセルラー端末１２のアドレスとホームエージェント２０のアドレスを記述すれば、移動端末１０は、当該パケットを、セルラー端末１２を経由してホームエージェント２０に送信することが可能となる。
【００５５】
移動端末１０が送信したグローバルアドレス情報のパケットがセルラー端末１２に届くと、セルラー端末１２の情報転送部３８はパケットを蓄積し、ゲートウェイ装置１８との通信路確立を行う（Ｓ１３）。通信路確立とはセルラーシステムにおける通信路確立と同様の方法を使用し、セルラーネットワーク２４内において、ゲートウェイ装置１８とセルラー端末１２間に通信路が確保される。通信路が確立された後、セルラー端末１２の情報転送部３８は、パケットを通信路に送信する（Ｓ１４）。送信するパケットの宛先は、この時点でホームエージェント２０宛になっている。この場合、移動端末１０が送信してきたパケットの記述方法によって、セルラー端末１２の情報転送部３８は必要に応じて処理を行う必要がある。
【００５６】
ゲートウェイ装置１８がセルラー端末１２からパケットを受信すると、ゲートウェイ装置１８は当該パケットをＩＰネットワーク２６のホームエージェント２０に転送する（Ｓ１５）。これはセルラーネットワークの一般的なゲートウェイ装置と同様の動作である。
【００５７】
ホームエージェント２０が移動端末１０から送信されるグローバルアドレス情報を受信すると、ホームエージェント２０の対応情報格納部５２は、パケットに記述されている移動端末１０の固有アドレスとグローバルアドレス情報を確認し、内部にある対応情報テーブル５２ａの当該移動端末の部分にグローバルアドレス情報を格納する（Ｓ１６）。
【００５８】
続いて、本実施形態にかかる移動端末へのパケット送信方法について説明する。図９は、本発明の第１実施形態に係る移動通信システムの移動端末へのパケット送信の動作を示すシーケンス図である。
【００５９】
本実施形態にかかる移動端末１０へのパケット送信方法において、通信端末２２が移動端末１０へパケットを送信するにあっては、まず、通信端末２２が移動端末１０の固有アドレス宛にパケットを送信する（Ｓ２１）。送信されたパケットは移動端末１０が所属したＩＰネットワーク２６にルーティングされ、移動端末１０の位置管理を行っているホームエージェント２０にパケットが届く。このとき、ホームエージェント２０は、移動端末１０宛のパケットを受信し、登録されている当該移動端末１０のグローバルアドレスを検索する（Ｓ２２）。そして、ホームエージェント２０は、パケットを当該移動端末１０のグローバルアドレス宛に送信する（Ｓ２３）。パケットを送信する方法としては、移動端末１０の固有アドレス宛のパケットの外側にグローバルアドレス宛のヘッダでカプセル化する方法や、グローバルアドレス宛のパケットのオプションなどに移動端末１０の固有アドレスを記述する方法が考えられる。
【００６０】
移動端末１０のグローバルアドレス宛に送信されたパケットはセルラーネットワーク２４とＩＰネットワーク２６とのゲートウェイ装置１８に届く。このホームエージェント２０からゲートウェイ装置１８へのルーティングにおいては、セルラー端末１２が移動端末１０に通知したグローバルアドレス情報は、そのアドレスの形態が当該セルラーネットワーク２４内部で利用されているものであることを示しているため、ＩＰネットワーク２６はゲートウェイ装置までルーティングを行うことが可能である。
【００６１】
パケットを受信したゲートウェイ装置１８は、パケットをパケット蓄積部４２に蓄積する。ゲートウェイ装置１８のセルラー端末識別部４４は、セルラー端末対応テーブル４４ａからパケットの宛先グローバルアドレスに対応するセルラー端末のＩＤを検索する（Ｓ２４）。位置問い合わせ部４６は、検索した結果のセルラー端末１２が、現在どの無線基地局１４配下にいるかをセルラー端末１２の位置管理を行うロケーションレジスタ１６に問い合わせを行い（Ｓ２５）、ロケーションレジスタ１６から無線基地局情報を受信する（Ｓ２６）。上述したように無線基地局情報とは、セルラーネットワーク２４内で利用する無線基地局を表す識別子である。また、無線基地局情報は例えば複数の無線基地局をまとめて1つのエリアとして管理している場合はそのエリアの識別子としてもよい。
【００６２】
無線基地局情報を受信するとゲートウェイ装置１８の着信通知部４８は、当該無線基地局１４に対して着信の通知を行う（Ｓ２７）。着信通知には無線基地局情報、セルラー端末１２のＩＤおよび移動端末１０のグローバルアドレス情報が含まれる。
【００６３】
無線基地局１４は着信通知を受けると、セルラーネットワーク２４のページング動作を行い、当該セルラー端末１２に着信通知を行う。セルラー端末１２の経路確立部４０は着信通知を受信すると、当該移動端末への経路確立を行う（Ｓ２８）。経路確立方法は一般的な無線アドホックネットワーク技術のものなどを使用する。そして、経路が確立できたら、経路確立部４０はゲートウェイ装置１８に対して、経路確立通知を送信する（Ｓ２９）。
【００６４】
経路確立通知を受信したゲートウェイ装置１８の着信制御部５０は、当該セルラー端末１２との通信路確立を行い（Ｓ３０）、その後パケット蓄積部に蓄積していたパケットをセルラー端末経由で移動端末に送信する（Ｓ３１）。
【００６５】
続いて、本実施形態にかかる移動通信システムにおける位置管理方法および移動端末へのパケット送信方法の作用及び効果について説明する。本実施形態の位置管理方法および移動端末へのパケット送信方法においては、移動端末１０がセルラー端末１２からグローバルアドレス情報を取得し、その情報をホームエージェント２０に登録し、着信があるとホームエージェント２０からゲートウェイ装置１８へ送信されるパケットからセルラー端末１２を特定し、セルラー端末１２の無線基地局情報を取得し、セルラー端末１２経由で移動端末１０への着信を行う。セルラーネットワーク２４は移動通信のサービスを提供するネットワークであり、ＩＰネットワーク２６と接続するための一般的なホットスポットサービスと比較するとサービスエリアは広く、信頼性が高いネットワークである。従って、ＩＰネットワーク２６で管理されている移動端末１０がサービスエリアの広いセルラーネットワーク２４の配下に移動し、セルラーネットワーク２４経由でＩＰネットワーク２６と接続することにより、移動端末１０のＩＰネットワーク２６への接続性、接続率を高めることが可能となる。
【００６６】
次に、本発明の第２実施形態について説明する。本実施形態においては、移動端末がグローバルアドレス情報を取得する際に、合わせてセルラー端末が在圏している無線基地局情報も取得し、その情報をホームエージェントの対応情報格納部に登録する。通信端末から着信パケットがホームエージェントに届いた場合、ホームエージェントは移動端末のグローバルアドレス情報および無線基地局情報を検索し、パケットをグローバルアドレス宛に送信する。パケットを受信したゲートウェイ装置は、パケットに記述されている無線基地局情報を利用して、セルラー端末の在圏無線基地局を確認し、セルラー端末経由で移動端末にパケットを送信する。
【００６７】
本実施形態においては、図２に示す移動端末１０の情報取得部２８は、グローバルアドレス情報と無線基地局情報とを併せて取得する。移動端末１０の情報格納部３０には、情報取得部２８が取得したグローバルアドレス情報と無線基地局情報とが格納される。情報送信部３４は、情報格納部３０に格納されたグローバルアドレス情報と無線基地局情報とをセルラー端末１２に送信する。
【００６８】
本実施形態においては、図３に示すセルラー端末１２の情報通知部３６には、セルラー端末１２が保持しているグローバルアドレス情報以外に、現在セルラー端末１２が在圏している無線基地局１４についての無線基地局情報も配下の移動端末１０に通知する。また、情報転送部３８は、移動端末１０からグローバルアドレス情報および無線基地局情報を受信するとセルラーネットワーク２４とＩＰネットワーク２６とのゲートウェイ装置１８と通信路を確立し、グローバルアドレス情報および無線基地局情報をゲートウェイ装置１８に送信する。
【００６９】
図１０は、本発明の第２実施形態に係るゲートウェイ装置の構成を示す図である。本実施形態のゲートウェイ装置１１８は、ホームエージェント２０から送信される移動端末１０のグローバルアドレス宛のパケットを受信すると、当該パケットを蓄積するパケット蓄積部４２と、パケットの宛先グローバルアドレスからセルラー端末１２の識別番号を割り出すセルラー端末識別部４４と、受信したパケットに記述されている無線基地局情報の無線基地局１４に対して、着信を通知する着信通知部４８と、当該セルラー端末１２から移動端末１０への経路が確立したことの通知を受信し、当該セルラー端末１２と通信路を確立し、蓄積していたパケットをセルラー端末１２経由で、移動端末１０に送信する着信制御部５０とを備えて構成される。
【００７０】
本実施形態のゲートウェイ装置１１８の着信通知部４８は、受信したパケットに記述されている無線基地局情報に基づいて、当該無線基地局１４へ着信通知のパケットを送信する。着信通知のパケットにはセルラー端末１２のＩＤおよび移動端末１０のグローバルアドレスが含まれる。必要である場合、移動端末１０の固有のアドレスも合わせて送信してもよい。その他の構成要素については、上述の第１実施形態のゲートウェイ装置１８と同様である。
【００７１】
本実施形態においては、図６に示すホームエージェント２０の対応情報格納部５２は、移動端末１０から送信されるグローバルアドレス情報と無線基地局情報とを受信し、これらの情報を、当該移動端末１０とグローバルアドレス情報と無線基地局情報との対応関係を記憶する移動端末格納テーブル５２ｂに格納する。図１１に示すように、移動端末格納テーブル５２ｂには、移動端末１０の固有アドレスと、その移動端末１０に対応するグローバルアドレス情報と無線基地局情報とが記憶されている。パケット制御部５４は、移動端末１０の固有アドレスからグローバルアドレス情報と無線基地局情報とを検索することが可能である。
【００７２】
図１２は、本発明の第２実施形態に係る移動通信システムの位置登録の動作を示すシーケンス図である。一般的なセルラー端末１２は現在自分がどの無線基地局１４の配下にいるかは無線基地局１４から定期的に受信し、記憶している。本実施形態では、移動端末１０がグローバルアドレス情報を取得する際に、セルラー端末１２の情報通知部３６は無線基地局情報も移動端末１０に通知し、移動端末１０が無線基地局情報を取得する（Ｓ１１１）。移動端末１０は情報格納部３０にグローバルアドレスと共に、無線基地局情報も格納する（Ｓ１１２）。移動端末１０の情報送信部３４はホームエージェントにグローバルアドレス情報とともに、無線基地局情報も送信する（Ｓ１１３）。
【００７３】
情報を受信したセルラー端末１２の情報転送部３８は、ゲートウェイ装置１１８と通信路を確立し（Ｓ１１４）、パケットをゲートウェイ装置１１８に転送する（Ｓ１１５）。ゲートウェイ装置１１８は、そのままパケットをホームエージェント２０に転送する（Ｓ１１６）。
【００７４】
ホームエージェント２０では、パケットを受信すると、対応情報格納部５２に当該移動端末１０のグローバルアドレス情報および無線基地局情報を格納する（Ｓ１１７）。
【００７５】
図１３は、本発明の第２実施形態に係る移動通信システムの移動端末へのパケット送信の動作を示すシーケンス図である。図１３に示すように、通信端末２２が移動端末１０の固有アドレス宛にパケットを送信すると、ホームエージェント２０にパケットが届く（Ｓ１２１）。ホームエージェント２０のパケット制御部５４は、対応情報格納部５２に当該移動端末１０のグローバルアドレスおよび無線基地局情報を検索する（Ｓ１２２）。その後、パケット制御部５４は、パケットをグローバルアドレス宛に送信する（Ｓ１２３）。この際、パケットの一部、例えばヘッダオプションなどに無線基地局情報を記述する。
【００７６】
ゲートウェイ装置１１８はパケットを受信すると、セルラー端末識別部４４はグローバルアドレスからセルラー端末１２のＩＤをセルラー端末対応テーブル４４ａから検索する（Ｓ１２４）。そして、着信通知部４８はパケットに記述されている無線基地局情報に対応する無線基地局１４に対して、着信通知を行う（Ｓ１２５）。このパケットには、セルラー端末のＩＤ、グローバルアドレスおよび移動端末１０の固有アドレスが含まれる。この後の経路確立（Ｓ１２６）、経路確立通知（Ｓ１２７）、通信路確立（Ｓ１２８）およびパケット送信（Ｓ１２９）における動作は、上述の第１実施形態で説明したものと同様である。
【００７７】
本実施形態においては、無線基地局情報をホームエージェント２０で管理することで、パケットを移動端末１０に送信する際、ゲートウェイ装置１１８でロケーションレジスタ１６に無線基地局１４について問い合わせをする必要はなく、ゲートウェイ装置１１８とロケーションレジスタ１６との間の信号量を削減することができ、ロケーションレジスタ１６への負荷を軽減することができる。また本実施形態においては、ゲートウェイ装置１１８への問い合わせに用いる時間を短縮できるため、着信にかかる時間を短縮することができる。さらに本実施形態においては、ゲートウェイ装置１１８でパケットを蓄積する時間を短縮できるため、ゲートウェイ装置１１８の処理能力を向上させることができる。
【図面の簡単な説明】
【００７８】
【図１】本発明の第１実施形態に係る移動通信システムの構成を示す図である。
【図２】本発明の第１実施形態に係る移動端末の構成を示す図である。
【図３】本発明の第１実施形態に係るセルラー端末の構成を示す図である。
【図４】本発明の第１実施形態に係るゲートウェイ装置の構成を示す図である。
【図５】本発明の第１実施形態に係るセルラー端末対応テーブルのデータ構成を示す図である。
【図６】本発明の第１実施形態に係るホームエージェントの構成を示す図である。
【図７】本発明の第１実施形態に係る移動端末対応テーブルのデータ構成を示す図である。
【図８】本発明の第１実施形態に係る移動通信システムの位置登録の動作を示すシーケンス図である。
【図９】本発明の第１実施形態に係る移動通信システムの移動端末へのパケット送信の動作を示すシーケンス図である。
【図１０】本発明の第２実施形態に係るゲートウェイ装置の構成を示す図である。
【図１１】本発明の第２実施形態に係る移動端末対応テーブルのデータ構成を示す図である。
【図１２】本発明の第２実施形態に係る移動通信システムの位置登録の動作を示すシーケンス図である。
【図１３】本発明の第２実施形態に係る移動通信システムの移動端末へのパケット送信の動作を示すシーケンス図である。
【符号の説明】
【００７９】
１…移動通信システム、１０…移動端末、１２…セルラー端末、１４…無線基地局、１６…ロケーションレジスタ、１８…ゲートウェイ装置、２０…ホームエージェント、２２…通信端末、２４…セルラーネットワーク、２６…ＩＰネットワーク、２８…情報取得部、３０…情報格納部、３２…経路格納部、３４…情報送信部、３６…情報通知部、３８…情報転送部、４０…経路確立部、４２…パケット蓄積部、４４…セルラー端末識別部、４４ａ…セルラー端末対応テーブル、４６…位置問い合わせ部、４８…着信通知部、５０…着信制御部、５２…対応情報格納部、５２ａ，５２ｂ…移動端末対応テーブル、５４…パケット制御部、１１８…ゲートウェイ装置。
【図１】
2006332995.tif 000003
【図２】
2006332995.tif 000004
【図３】
2006332995.tif 000005
【図４】
2006332995.tif 000006
【図５】
2006332995.tif 000007
【図６】
2006332995.tif 000008
【図７】
2006332995.tif 000009
【図８】
2006332995.tif 000010
【図９】
2006332995.tif 000011
【図１０】
2006332995.tif 000012
【図１１】
2006332995.tif 000013
【図１２】
2006332995.tif 000014
【図１３】
2006332995.tif 000015